【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
光伝搬特性を独立に制御可能な複数の画素を有する光変調素子と、光伝搬特性を独立に制御可能な複数の画素を有する輝度調整素子とを備え、前記光変調素子の画素と前記輝度調整素子の画素をｍ：ｎ（ｍ，ｎは整数且つｍ＜ｎ又はｍ＞ｎ）で光学的に対応させ、前記光変調素子及び前記輝度調整素子を介して光源からの光を変調して画像を表示する装置であって、
表示画像データに基づき、前記ｎ個の画素に対応する画素値のうち、各色毎の色成分の値の平均値又は加重平均値を算出する平均値算出手段と、
前記表示画像データに基づき、前記ｎ個の画素に対応する画素値のうち、輝度成分の値の中から前記光変調素子の各画素に対する輝度値を選択する輝度選択手段と、
前記平均値算出手段の算出結果と前記輝度選択手段の選択結果とに基づき前記光変調素子の各画素の光伝搬特性を決定する光伝搬特性決定手段と、
前記光伝搬特性決定手段によって決定された光伝搬特性に基づき、前記光変調素子の各画素の制御値を決定する制御値決定手段と、を備えることを特徴とする光学表示装置。
【請求項２】
光伝搬特性を独立に制御可能な複数の画素を有する光変調素子と、光伝搬特性を独立に制御可能な複数の画素を有する輝度調整素子とを備え、前記光変調素子の画素と前記輝度調整素子の画素をｍ：ｎ（ｍ，ｎは整数且つｍ＜ｎ又はｍ＞ｎ）で光学的に対応させ、前記光変調素子及び前記輝度調整素子を介して光源からの光を変調して画像を表示する装置であって、
ＲＧＢ値を含んで成る画素値を有する表示画像データに基づき、前記光変調素子のｍ個の画素に対応する前記輝度調整素子のｎ個の画素に対応したＲＧＢ値を、当該ＲＧＢ値の輝度成分と色成分とを分離した第１画素値に変換する第１画素値変換手段と、
前記ｎ個の画素に対応する前記第１画素値のうち、各色毎の前記色成分の値の平均値又は加重平均値を算出する平均値算出手段と、
前記ｎ個の画素に対応する前記第１画素値のうち、前記輝度成分の値の中から前記光変調素子のｍ個の画素に対する輝度値を選択する輝度選択手段と、
前記平均値算出手段の算出結果と前記輝度選択手段の選択結果とから成る第２画素値をＲＧＢ値に変換する第２画素値変換手段と、
前記輝度調整素子の各画素の光伝搬特性を仮決定する光伝搬特性仮決定手段と、
前記光伝搬特性仮決定手段によって仮決定された光伝搬特性と前記第２画素値変換手段の変換結果とに基づき前記光変調素子の各画素の光伝搬特性を決定する第１光伝搬特性決定手段と、
前記第１光伝搬特性決定手段によって決定された光伝搬特性に基づき、前記光変調素子の各画素の制御値を決定する第１制御値決定手段と、
前記表示画像データに基づいて前記輝度調整素子の各画素の光伝搬特性を決定する第２光伝搬特性決定手段と、
前記第２光伝搬特性決定手段によって決定した光伝搬特性に基づいて前記輝度調整素子の各画素の制御値を決定する第２制御値決定手段と、を備えることを特徴とする光学表示装置。
【請求項３】
前記第１画素値変換手段は、前記ＲＧＢ値を、画素の輝度成分を示すＹ値と、画素の色成分である、画素の青の色差を示すＣｂ値及び画素の赤の色差を示すＣｒ値とを含んで成る第１画素値に変換するようになっていることを特徴とする請求項２記載の光学表示装置。
【請求項４】
前記輝度選択手段は、前記ｎ個の画素に対応する前記第１画素値における輝度成分の値の中から最大値、中間値又は最小値のいずれか１つを前記光変調素子の各画素に対応する輝度値として選択するようになっていることを特徴とする請求項２又は請求項３記載の光学表示装置。
【請求項５】
第２光伝搬特性決定手段は、前記表示画像データと前記第１光伝搬特性決定手段によって決定された光伝搬特性とに基づき、前記輝度調整素子の各画素の光伝搬特性を決定するようになっていることを特徴とする請求項２乃至請求項４のいずれか１項に記載の光学表示装置。
【請求項６】
前記第１画素値における前記ｎ個の画素にそれぞれ対応する前記輝度成分の値と、前記平均値算出手段の算出結果とに基づき、前記輝度調整素子のｎ個の画素にそれぞれ対応する第３画素値を生成する第３画素値生成手段と、
前記第３画素値をＲＧＢ値に変換する第３画素値変換手段と、を備え、
前記第２光伝搬特性決定手段は、前記第３画素値変換手段の変換結果と前記第１光伝搬特性決定手段によって決定された光伝搬特性とに基づき、前記輝度調整素子の各画素の光伝搬特性を決定するようになっていることを特徴とする請求項５記載の光学表示装置。
【請求項７】
前記輝度調整素子のｎ個の画素に対応する表示画像データの画素値が全て同じ値である場合は、
前記第１光伝搬特性決定手段は、前記光伝搬特性仮決定手段によって仮決定された光伝搬特性と前記表示画像データの画素値とに基づき前記光変調素子の各画素の光伝搬特性を決定するようになっていることを特徴とする請求項２乃至請求項６のいずれか１項に記載の光学表示装置。
【請求項８】
前記光変調素子及び前記輝度調整素子は共に前記画素がマトリクス状に配列された構成となっており、前記輝度調整素子の画素数が、前記光変調素子の画素数に対して行方向及び列方向共に整数倍であり、前記光変調素子のｍ個の画素と前記輝度調整素子のｎ個の画素とが規則的に且つ光学的に対応していることを特徴とする請求項２乃至請求項７のいずれか１項に記載の光学表示装置。
【請求項９】
前記ＲＧＢの各色の光に対応した複数の前記光変調素子を備え、
前記各光変調素子のｍ個の画素と前記輝度調整素子のｎ個の画素とが規則的に且つ光学的に対応していることを特徴とする請求項８記載の光学表示装置。
【請求項１０】
光伝搬特性を独立に制御可能な複数の画素を有する光変調素子と、輝度を独立に調整可能な複数の光源を有する輝度調整光源とを備え、前記光変調素子の画素と前記輝度調整光源の光源をｍ：ｎ（ｍ，ｎは整数且つｍ＜ｎ又はｍ＞ｎ）で光学的に対応させ、前記光変調素子を介して前記輝度調整光源からの光を変調して画像を表示する装置であって、
表示画像データに基づき、前記ｎ個の画素に対応する画素値のうち、各色毎の色成分の値の平均値又は加重平均値を算出する平均値算出手段と、
前記表示画像データに基づき、前記ｎ個の画素に対応する画素値のうち、輝度成分の値の中から前記光変調素子の各画素に対する輝度値を選択する輝度選択手段と、
前記平均値算出手段の算出結果と前記輝度選択手段の選択結果とに基づき前記光変調素子の各画素の光伝搬特性を決定する光伝搬特性決定手段と、
前記光伝搬特性決定手段によって決定された光伝搬特性に基づき、前記光変調素子の各画素の制御値を決定する制御値決定手段と、を備えることを特徴とする光学表示装置。
【請求項１１】
光伝搬特性を独立に制御可能な複数の画素を有する光変調素子と、輝度を独立に調整可能な複数の光源を有する輝度調整光源とを備え、前記光変調素子の画素と前記輝度調整光源の光源をｍ：ｎ（ｍ，ｎは整数且つｍ＜ｎ又はｍ＞ｎ）で光学的に対応させ、前記光変調素子を介して前記輝度調整光源からの光を変調して画像を表示する装置であって、
ＲＧＢ値を含んで成る画素値を有する表示画像データに基づき、前記光変調素子のｍ個の画素に対応する前記輝度変調光源のｎ個の光源に対応したＲＧＢ値を、当該ＲＧＢ値の輝度成分と色成分とを分離した第１画素値に変換する第１画素値変換手段と、
前記ｎ個の光源に対応する前記第１画素値のうち、各色毎の前記色成分の値の平均値又は加重平均値を算出する平均値算出手段と、
前記ｎ個の画素に対応する前記第１画素値のうち、前記輝度成分の値の中から前記光変調素子のｍ個の画素に対する輝度値を選択する輝度選択手段と、
前記平均値算出手段の算出結果と前記輝度選択手段の選択結果とから成る第２画素値をＲＧＢ値に変換する第２画素値変換手段と、
前記輝度変調光源の各光源の輝度を仮決定する輝度仮決定手段と、
前記輝度仮決定手段によって仮決定された輝度と前記第２画素値変換手段によって変換されたＲＧＢ値とに基づき前記光変調素子の各画素の光伝搬特性を決定する光伝搬特性決定手段と、
前記第１光伝搬特性決定手段によって決定された光伝搬特性に基づき、前記光変調素子の各画素の制御値を決定する第１制御値決定手段と、
前記表示画像データに基づいて前記輝度変調光源の各光源の輝度を決定する輝度決定手段と、
前記輝度決定手段によって決定した輝度に基づいて前記輝度変調光源の各光源の制御値を決定する第２制御値決定手段と、を備えることを特徴とする光学表示装置。
【請求項１２】
光伝搬特性を独立に制御可能な複数の画素を有する光変調素子と、光伝搬特性を独立に制御可能な複数の画素を有する輝度調整素子とを備え、前記光変調素子の画素と前記輝度調整素子の画素をｍ：ｎ（ｍ，ｎは整数且つｍ＜ｎ又はｍ＞ｎ）で光学的に対応させ、前記光変調素子及び前記輝度調整素子を介して光源からの光を変調して画像を表示する光学表示装置を制御するためのプログラムであって、
表示画像データに基づき、前記ｎ個の画素に対応する画素値のうち、各色毎の色成分の値の平均値又は加重平均値を算出する平均値算出手段、
前記表示画像データに基づき、前記ｎ個の画素に対応する画素値のうち、輝度成分の値の中から前記光変調素子のｍ個の画素に対する輝度値を選択する輝度選択手段、
前記平均値算出手段の算出結果と前記輝度選択手段の選択結果とに基づき前記光変調素子の各画素の光伝搬特性を決定する光伝搬特性決定手段及び、
前記光伝搬特性決定手段によって決定された光伝搬特性に基づき、前記光変調素子の各画素の制御値を決定する制御値決定手段として実現される処理をコンピュータに実行させるためのプログラムであることを特徴とする光学表示装置制御プログラム。
【請求項１３】
光伝搬特性を独立に制御可能な複数の画素を有する光変調素子と、光伝搬特性を独立に制御可能な複数の画素を有する輝度調整素子とを備え、前記光変調素子の画素と前記輝度調整素子の画素をｍ：ｎ（ｍ，ｎは整数且つｍ＜ｎ又はｍ＞ｎ）で光学的に対応させ、前記光変調素子及び前記輝度調整素子を介して光源からの光を変調して画像を表示する光学表示装置を制御するためのプログラムであって、
ＲＧＢ値を含んで成る画素値を有する表示画像データに基づき、前記光変調素子のｍ個の画素に対応する前記輝度調整素子のｎ個の画素に対応したＲＧＢ値を、当該ＲＧＢ値の輝度成分と色成分とを分離した第１画素値に変換する第１画素値変換手段、
前記ｎ個の画素に対応する前記第１画素値のうち、各色毎の前記色成分の値の平均値又は加重平均値を算出する平均値算出手段、
前記ｎ個の画素に対応する前記第１画素値のうち、前記輝度成分の値の中から前記光変調素子のｍ個の画素に対する輝度値を選択する輝度選択手段、
前記平均値算出手段の算出結果と前記輝度選択手段の選択結果とから成る第２画素値をＲＧＢ値に変換する第２画素値変換手段、
前記輝度調整素子の各画素の光伝搬特性を仮決定する光伝搬特性仮決定手段、
前記光伝搬特性仮決定手段によって仮決定された光伝搬特性と前記第２画素値変換手段の変換結果とに基づき前記光変調素子の各画素の光伝搬特性を決定する第１光伝搬特性決定手段、
前記第１光伝搬特性決定手段によって決定された光伝搬特性に基づき、前記光変調素子の各画素の制御値を決定する第１制御値決定手段、
前記表示画像データに基づいて前記輝度調整素子の各画素の光伝搬特性を決定する第２光伝搬特性決定手段及び、
前記第２光伝搬特性決定手段によって決定した光伝搬特性に基づいて前記輝度調整素子の各画素の制御値を決定する第２制御値決定手段として実現される処理をコンピュータに実行させるためのプログラムであることを特徴とする光学表示装置制御プログラム。
【請求項１４】
光伝搬特性を独立に制御可能な複数の画素を有する光変調素子と、輝度を独立に調整可能な複数の光源を有する輝度調整光源とを備え、前記光変調素子の画素と前記輝度調整光源の光源をｍ：ｎ（ｍ，ｎは整数且つｍ＜ｎ又はｍ＞ｎ）で光学的に対応させ、前記光変調素子を介して前記輝度調整光源からの光を変調して画像を表示する光学表示装置を制御するためのプログラムであって、
表示画像データに基づき、前記ｎ個の画素に対応する画素値のうち、各色毎の色成分の値の平均値又は加重平均値を算出する平均値算出手段と、
前記表示画像データに基づき、前記ｎ個の画素に対応する画素値のうち、輝度成分の値の中から前記光変調素子の各画素に対する輝度値を選択する輝度選択手段と、
前記平均値算出手段の算出結果と前記輝度選択手段の選択結果とに基づき前記光変調素子の各画素の光伝搬特性を決定する光伝搬特性決定手段と、
前記光伝搬特性決定手段によって決定された光伝搬特性に基づき、前記光変調素子の各画素の制御値を決定する制御値決定手段と、を備えることを特徴とする光学表示装置制御プログラム。
【請求項１５】
光伝搬特性を独立に制御可能な複数の画素を有する光変調素子と、輝度を独立に調整可能な複数の光源を有する輝度調整光源とを備え、前記光変調素子の画素と前記輝度調整光源の光源をｍ：ｎ（ｍ，ｎは整数且つｍ＜ｎ又はｍ＞ｎ）で光学的に対応させ、前記光変調素子を介して前記輝度調整光源からの光を変調して画像を表示する光学表示装置を制御するためのプログラムであって、
ＲＧＢ値を含んで成る画素値を有する表示画像データに基づき、前記光変調素子のｍ個の画素に対応する前記輝度変調光源のｎ個の光源に対応したＲＧＢ値を、当該ＲＧＢ値の輝度成分と色成分とを分離した第１画素値に変換する第１画素値変換手段、
前記ｎ個の光源に対応する前記第１画素値のうち、各色毎の前記色成分の値の平均値又は加重平均値を算出する平均値算出手段、
前記ｎ個の画素に対応する前記第１画素値のうち、前記輝度成分の値の中から前記光変調素子のｍ個の画素に対する輝度値を選択する輝度選択手段、
前記平均値算出手段の算出結果と前記輝度選択手段の選択結果とから成る第２画素値をＲＧＢ値に変換する第２画素値変換手段、
前記輝度変調光源の各光源の輝度を仮決定する輝度仮決定手段、
前記輝度仮決定手段によって仮決定された輝度と前記第２画素値変換手段によって変換されたＲＧＢ値とに基づき前記光変調素子の各画素の光伝搬特性を決定する第１光伝搬特性決定手段、
前記第１光伝搬特性決定手段によって決定された光伝搬特性に基づき、前記光変調素子の各画素の制御値を決定する第１制御値決定手段と、
前記表示画像データに基づいて前記輝度変調光源の各光源の輝度を決定する輝度決定手段及び、
前記輝度決定手段によって決定した輝度に基づいて前記輝度変調光源の各光源の制御値を決定する第２制御値決定手段として実現される処理をコンピュータに実行させるためのプログラムであることを特徴とする光学表示装置制御プログラム。
【請求項１６】
光伝搬特性を独立に制御可能な複数の画素を有する光変調素子と、光伝搬特性を独立に制御可能な複数の画素を有する輝度調整素子とを備え、前記光変調素子の画素と前記輝度調整素子の画素をｍ：ｎ（ｍ，ｎは整数且つｍ＜ｎ又はｍ＞ｎ）で光学的に対応させ、前記光変調素子及び前記輝度調整素子を介して光源からの光を変調して画像を表示する光学表示装置を制御するための方法であって、
表示画像データに基づき、前記ｎ個の画素に対応する画素値のうち、各色毎の色成分の値の平均値又は加重平均値を算出する平均値算出ステップと、
前記表示画像データに基づき、前記ｎ個の画素に対応する画素値のうち、輝度成分の値の中から前記光変調素子の各画素に対する輝度値を選択する輝度選択ステップと、
前記平均値算出ステップにおける算出結果と前記輝度選択ステップにおける選択結果とに基づき前記光変調素子の各画素の光伝搬特性を決定する光伝搬特性決定ステップと、
前記光伝搬特性決定ステップにおいて決定された光伝搬特性に基づき、前記光変調素子の各画素の制御値を決定する制御値決定ステップと、を含むことを特徴とする光学表示装置制御方法。
【請求項１７】
光伝搬特性を独立に制御可能な複数の画素を有する光変調素子と、光伝搬特性を独立に制御可能な複数の画素を有する輝度調整素子とを備え、前記光変調素子の画素と前記輝度調整素子の画素をｍ：ｎ（ｍ，ｎは整数且つｍ＜ｎ又はｍ＞ｎ）で光学的に対応させ、前記光変調素子及び前記輝度調整素子を介して光源からの光を変調して画像を表示する光学表示装置を制御するための方法であって、
ＲＧＢ値を含んで成る画素値を有する表示画像データに基づき、前記光変調素子のｍ個の画素に対応する前記輝度調整素子のｎ個の画素に対応したＲＧＢ値を、当該ＲＧＢ値の輝度成分と色成分とを分離した第１画素値に変換する第１画素値変換ステップと、
前記ｎ個の画素に対応する前記第１画素値のうち、各色毎の前記色成分の値の平均値又は加重平均値を算出する平均値算出ステップと、
前記ｎ個の画素に対応する前記第１画素値のうち、前記輝度成分の値の中から前記光変調素子のｍ個の画素に対する輝度値を選択する輝度選択ステップと、
前記平均値算出ステップにおける算出結果と前記輝度選択ステップにおける選択結果とから成る第２画素値をＲＧＢ値に変換する第２画素値変換ステップと、
前記輝度調整素子の各画素の光伝搬特性を仮決定する光伝搬特性仮決定ステップと、
前記光伝搬特性仮決定ステップにおいて仮決定された光伝搬特性と前記第２画素値変換ステップにおける変換結果とに基づき前記光変調素子の各画素の光伝搬特性を決定する第１光伝搬特性決定ステップと、
前記第１光伝搬特性決定ステップにおいて決定された光伝搬特性に基づき、前記光変調素子の各画素の制御値を決定する第１制御値決定ステップと、
前記表示画像データに基づいて前記輝度調整素子の各画素の光伝搬特性を決定する第２光伝搬特性決定ステップと、
前記第２光伝搬特性決定ステップにおいて決定した光伝搬特性に基づいて前記輝度調整素子の各画素の制御値を決定する第２制御値決定ステップと、を含むことを特徴とする光学表示装置制御方法。
【請求項１８】
光伝搬特性を独立に制御可能な複数の画素を有する光変調素子と、輝度を独立に調整可能な複数の光源を有する輝度調整光源とを備え、前記光変調素子の画素と前記輝度調整光源の光源をｍ：ｎ（ｍ，ｎは整数且つｍ＜ｎ又はｍ＞ｎ）で光学的に対応させ、前記光変調素子を介して前記輝度調整光源からの光を変調して画像を表示する光学表示装置を制御するための方法であって、
表示画像データに基づき、前記ｎ個の画素に対応する画素値のうち、各色毎の色成分の値の平均値又は加重平均値を算出する平均値算出ステップと、
前記表示画像データに基づき、前記ｎ個の画素に対応する画素値のうち、輝度成分の値の中から前記光変調素子の各画素に対する輝度値を選択する輝度選択ステップと、
前記平均値算出ステップにおける算出結果と前記輝度選択ステップにおける選択結果とに基づき前記光変調素子の各画素の光伝搬特性を決定する光伝搬特性決定ステップと、
前記光伝搬特性決定ステップにおいて決定された光伝搬特性に基づき、前記光変調素子の各画素の制御値を決定する制御値決定ステップと、を含むことを特徴とする光学表示装置制御方法。
【請求項１９】
光伝搬特性を独立に制御可能な複数の画素を有する光変調素子と、輝度を独立に調整可能な複数の光源を有する輝度調整光源とを備え、前記光変調素子の画素と前記輝度調整光源の光源をｍ：ｎ（ｍ，ｎは整数且つｍ＜ｎ又はｍ＞ｎ）で光学的に対応させ、前記光変調素子を介して前記輝度調整光源からの光を変調して画像を表示する光学表示装置を制御するための方法であって、
ＲＧＢ値を含んで成る画素値を有する表示画像データに基づき、前記光変調素子のｍ個の画素に対応する前記輝度変調光源のｎ個の光源に対応したＲＧＢ値を、当該ＲＧＢ値の輝度成分と色成分とを分離した第１画素値に変換する第１画素値変換ステップと、
前記ｎ個の光源に対応する前記第１画素値のうち、各色毎の前記色成分の値の平均値又は加重平均値を算出する平均値算出ステップと、
前記ｎ個の画素に対応する前記第１画素値のうち、前記輝度成分の値の中から前記光変調素子のｍ個の画素に対する輝度値を選択する輝度選択ステップと、
前記平均値算出ステップにおける算出結果と前記輝度算出ステップにおける算出結果とから成る第２画素値をＲＧＢ値に変換する第２画素値変換ステップと、
前記輝度変調光源の各光源の輝度を仮決定する輝度仮決定ステップと、
前記輝度仮決定ステップにおいて仮決定された輝度と前記第２画素値変換ステップにおいて変換されたＲＧＢ値とに基づき前記光変調素子の各画素の光伝搬特性を決定する第１光伝搬特性決定ステップと、
前記第１光伝搬特性決定ステップにおいて決定された光伝搬特性に基づき、前記光変調素子の各画素の制御値を決定する第１制御値決定ステップと、
前記表示画像データに基づいて前記輝度変調光源の各光源の輝度を決定する輝度決定ステップと、
前記輝度決定ステップにおいて決定した輝度に基づいて前記輝度変調光源の各光源の制御値を決定する第２制御値決定ステップと、を含むことを特徴とする光学表示装置制御方法。